(57)【要約】【課題】最適の動的表面張力を確保し、泡生成を最小化することにより、ヘッドカートリッジのインク流路をインクが流れる間にインクの流動性を均一に維持し、さらにインクが流れる最中に泡生成によるインクフローの妨害、またはノズル詰まりに起因したミシングドットの生成を事前に防止するできるインク組成物、インク組成物を含むインクカートリッジおよびインクジェット記録装置を提供する。【解決手段】着色剤と、イオン性乳化剤および両性イオン性乳化剤から選択される少なくとも一つ以上である第１乳化剤と、非イオン性乳化剤である第２乳化剤と、水とを含み、第１乳化剤の含有量は、着色剤１００質量部を基準として、１５０質量部以下であり、第２乳化剤の含有量は、第１乳化剤含有量の２０倍以下であることを特徴とするインク組成物である。【選択図】なし【特許請求の範囲】
【請求項１】
着色剤と；
イオン性乳化剤および両性イオン性乳化剤から選択される少なくとも一つ以上である第１乳化剤と；
非イオン性乳化剤である第２乳化剤と；
水と；
を含み、
前記第１乳化剤の含有量は、前記着色剤１００質量部を基準として、１５０質量部以下であり、
前記第２乳化剤の含有量は、前記第１乳化剤含有量の２０倍以下であることを特徴とする、インク組成物。
【請求項２】
前記第１乳化剤および前記第２乳化剤の総含有量は、前記着色剤１００質量部を基準として、１〜３００質量部であることを特徴とする、請求項１に記載のインク組成物。
【請求項３】
前記イオン性乳化剤は、炭素数１〜２０のアルキルカルボン酸塩、炭素数１〜２０のアルキルスルホン酸エステル塩、炭素数１〜２０のアルキルスルホン酸塩、炭素数１〜２０のアルキルベンゼンスルホン酸塩、炭素数１〜２０の脂肪酸アミン塩、第四級アンモニウム塩、スルホニウム塩およびホスホニウム塩からなる群から選択される少なくとも一つ以上であり、
前記両性イオン性乳化剤は、炭素数１〜２０のアルキルアミンスルホン酸塩、炭素数１〜２０のアルキルアミンカルボン酸塩、または炭素数１〜２０のアルキルアミンホスホニウム塩からなる群から選択される少なくとも一つ以上であることを特徴とする、請求項１または２に記載のインク組成物。
【請求項４】
前記非イオン性乳化剤は、ポリオキシエチレンアルキルエーテル、ポリオキシエチレンアルキルフェニルエーテル、ポリオキシエチレン第２級アルコールエーテル、ポリオキシエチレン−オキシプロピレンブロック共重合体、ポリグリセリン脂肪酸エステル、ソルビタンモノエステルアルコキシレート、アセチレン型ポリアルキレンオキシド、アセチレン型ジオールからなる群から選択される少なくとも一つ以上であることを特徴とする、請求項１〜３のいずれかに記載のインク組成物。
【請求項５】
前記着色剤は、顔料、染料または自己分散顔料のうちの一つであることを特徴とする、請求項１〜４のいずれかに記載のインク組成物。
【請求項６】
共溶媒および／またはアミド化合物から構成される有機溶媒がさらに含まれることを特徴とする、請求項１〜５のいずれかに記載のインク組成物。
【請求項７】
前記共溶媒は、メチルアルコール、エチルアルコール、ｎ−プロピルアルコール、イソプロピルアルコール、ｎ−ブチルアルコール、ｓｅｃ−ブチルアルコール、ｔ−ブチルアルコールおよびイソブチルアルコールから構成されるアルコール類化合物；１，６−ヘキサンジオール、１，２−ヘキサンジオール、エチレングリコール、ジエチレングリコール、トリエチレングリコール、プロピレングリコール、ブチレングリコール、１，４−ブタンジオール、１，２，４−ブタントリオール、１，５−ペンタンジオール、１，２，６−ヘキサントリオール、トリメタノールプロパン、へキシレングリコール、グリセロール、ポリ（エチレングリコール）から構成される多価アルコール系化合物；アセトン、メチルエチルケトン、ジアセトンアルコールから構成されるケトン類化合物；酢酸エチル、乳酸エチルから構成されるエステル系化合物；エチレングリコールモノメチルエーテル、エチレングリコールモノエチルエーテル、ジエチレングリコールメチルエーテル、ジエチレングリコールエチルエーテル、ジエチレングリコールモノブチルエーテル、ジエチレングリコールジエチルエーテル、トリエチレングリコールモノメチルエーテル、トリエチレングリコールモノエチルエーテルから構成される低級アルキルエーテル系化合物；ジメチルスルホキシド、テトラメチレンスルホン、チオグリコールから構成される含有硫黄系化合物；からなる群より選択される少なくとも一つ以上の化合物を含むことを特徴とする、請求項６に記載のインク組成物。
【請求項８】
前記アミド化合物は、２−ピロリドン、２−ピペリドン、Ｎ−メチル−２−ピロリドン、カプロラクタム、テトラヒドロ−２−ピリミドン、３−メチル−テトラヒドロ−２−ピリミドン、２−イミダゾリジノン、ジメチルイミダゾリジノン、ジエチルイミダゾリジノン、ブチルウレア、１，３−ジメチルウレア、エチルウレア、プロピルウレア、イソプロピルウレア、１，３−ジエチルウレアからなる群から選択される少なくとも一つ以上の化合物を含むことを特徴とする、請求項６または７に記載のインク組成物。
【請求項９】
前記有機溶媒の含有量は、前記着色剤１００質量部を基準として、１００〜２，０００質量部であることを特徴とする、請求項６〜８のいずれかに記載のインク組成物。
【請求項１０】
前記水の含有量は、前記着色剤１００質量部を基準として、１００〜３，０００質量部であることを特徴とする、請求項１〜９のいずれかに記載のインク組成物。
【請求項１１】
前記インク組成物の２０℃における表面張力は、１５×１０-３〜７０×１０-３Ｎ／ｍであり、前記インク組成物の２０℃における粘度は、１×１０-３〜２０×１０−３Ｐａ・Ｓであることを特徴とする、請求項１〜１０のいずれかに記載のインク組成物。
【請求項１２】
前記イオン性乳化剤は、ドデシル硫酸ナトリウムであり、前記両性イオン性乳化剤は、Ｎ，Ｎ−ジメチルドデシルアミン−Ｎ−オキシドであることを特徴とする、請求項１〜１１のいずれかに記載のインク組成物。
【請求項１３】
前記非イオン性乳化剤は、２，４，７，９−テトラメチル−５−デシン−４，７−ジオールまたは２，４，７，９−テトラメチル−５−デシン−４−（エチレンオキシド）ｍ−７−（エチレンオキシド）ｎ−ジオールを含むことを特徴とする、請求項１〜１２のいずれかに記載のインク組成物。
【請求項１４】
前記第１乳化剤の含有量は、前記着色剤１００質量部を基準として、１〜１５０質量部であることを特徴とする、請求項１〜１３のいずれかに記載のインク組成物。
【請求項１５】
前記第２乳化剤の含有量は、前記第１乳化剤の含有量の１〜１５倍であることを特徴とする、請求項１〜１４のいずれかに記載のインク組成物。
【請求項１６】
前記有機溶媒の含有量は、前記着色剤１００質量部を基準として、５０〜２，０００質量部となることを特徴とする、請求項６〜１５のいずれかに記載のインク組成物。
【請求項１７】
前記アミド化合物の含有量は、前記有機溶媒の総含有量１００質量部を基準として、５〜８０質量部となることを特徴とする、請求項６〜１６のいずれかに記載のインク組成物。
【請求項１８】
着色剤と；
イオン性乳化剤および両性イオン性乳化剤から選択される少なくとも一つ以上である第１乳化剤と；
非イオン性乳化剤である第２乳化剤と；
水と；
を含むインク組成物を含むインクカートリッジであり、
前記第１乳化剤の含有量は、前記着色剤１００質量部を基準として、１５０質量部以下であり、
前記第２乳化剤の含有量は、前記第１乳化剤含有量の２０倍以下であることを特徴とする、インクカートリッジ。
【請求項１９】
着色剤と；
イオン性乳化剤および両性イオン性乳化剤から選択される少なくとも一つ以上である第１乳化剤と；
非イオン性乳化剤である第２乳化剤と；
水と；
を含むインク組成物を含むインクカートリッジを具備するインクジェット記録装置であり、
前記第１乳化剤の含有量は、前記着色剤１００質量部を基準として、１５０質量部以下であり、
前記第２乳化剤の含有量は、前記第１乳化剤含有量の２０倍以下であることを特徴とする、インクジェット記録装置。
【請求項２０】
前記インクジェット記録装置は、１０，０００個以上のノズルを備え、前記インク組成物を吐出するアレイヘッドを具備することを特徴とする、請求項１９に記載のインクジェット記録装置。
【請求項２１】
前記インクカートリッジの底面に位置し、記録媒体シートの幅方向に沿う所定の長さを有するプリンタヘッドをさらに含むことを特徴とする、請求項１９または２０に記載のインクジェット記録装置。
【発明の詳細な説明】
【技術分野】
【０００１】
本発明は、インク組成物に係り、さらに詳細には、動的表面張力の安定性が確保されることにより、ヘッドカートリッジのインク流路でインクフローを均一に維持し、インク液滴形成および吐出を均一、かつ安定的に維持するインク組成物に関する。また、インクフローの間に生成された泡による不均一なインクフローおよびインク流路や、泡がノズルを塞ぐことを防止するインク組成物に関する。
【背景技術】
【０００２】
一般的に、インクジェットのインク組成物は、表面張力を調節するために、多種の乳化剤を使用する。
【０００３】
乳化剤は、表面張力を調節する以外にも、ノズルクロッギング（ｃｌｏｇｇｉｎｇ）を防止するために使用される。特許文献１では、ドデシルベンゼンスルホン酸ナトリウム、ラウリン酸ナトリウム、ポリエチレングリコールモノオレイルエーテルのような乳化剤を０．５〜２５質量％で適用した技術が開示されている。特許文献２では、染料で構成されたカラーインクにおけるにじみを調節するために、両性イオン性乳化剤および非イオン性乳化剤を臨界ミセル濃度（ＣＭＣ：Ｃｒｉｔｉｃａｌ  Ｍｉｃｅｌｌｅ  Ｃｏｎｃｅｎｔｒａｔｉｏｎ）以上に適用した技術が開示されている。特許文献３では、一般用紙におけるインク乾燥特性を向上させ、１秒以内に乾かすために、０．０１〜５質量％の高分子乳化剤および補助溶媒を適用して調節する技術が開示されている。
【０００４】
上記の通り、インク組成物に多量の乳化剤を適用する、または高分子乳化剤を適用すれば、表面張力調節および単純にインク浸透の向上による乾燥時間短縮の効果は確保することができる。
【０００５】
【特許文献１】特開昭６３−１６５４６５号公報
【特許文献２】米国特許第５，１１６，４０９号明細書
【特許文献３】米国特許第５，１５６，６７５号明細書
【発明の開示】
【発明が解決しようとする課題】
【０００６】
しかし、従来技術のインク組成物において、同じような表面張力を有するインク組成物でも、ヘッドチップとインクカートリッジのインク流路内で、インクフローを均一に維持する特性が不良であり、かつ泡抑制特性が悪い。また、インク組成物を継続して使用している間、あるいはインクタンクからインクカートリッジにインク組成物が循環する間、インク組成物内に気泡が形成されるだけではなく、さらに形成された気泡をなくす消泡性が脆弱になる。さらに、インク組成物を長期保管中に、温度変化によるインク組成物の体積膨脹によって泡が発生する、またはインクフローの速度が不均一になるという環境変化に対し、インク組成物の物性および性能を安定に維持することができない。従って、結局、プリンティングするとき、ドットの形成が均一ではなく、特に、ミッシングドット（ｍｉｓｓｉｎｇ  ｄｏｔ）が多くなってしまうという問題があった。
【０００７】
そこで、本発明は、このような問題に鑑みてなされたもので、その目的とするところは、多様な環境変化でも、インク流路でのインクフローを安定的に、かつ均一に維持し、吐出されたインク液滴のサイズおよび形を常に均一に維持することができるインク組成物、インク組成物を含むインクカートリッジ、およびインクカートリッジを具備するインクジェット記録装置を提供することにある。
【課題を解決するための手段】
【０００８】
上記課題を解決するために、本発明の第１の観点によれば、着色剤と、イオン性乳化剤および両性イオン性乳化剤から選択される少なくとも一つ以上である第１乳化剤と、非イオン性乳化剤である第２乳化剤と、水とを含み、第１乳化剤の含有量は、着色剤１００質量部を基準として、１５０質量部以下であり、第２乳化剤の含有量は、第１乳化剤含有量の２０倍以下であるインク組成物が提供される。
【０００９】
本発明によれば、インク組成物の構成において、第１乳化剤（イオン性乳化剤および／または両性イオン性乳化剤）および第２乳化剤（非イオン性乳化剤）の含有量を最適化できるので、最適の動的表面張力を実現できる。また、インク組成物の長時間の使用および長期間保存や、インクカートリッジ内のインク組成物に対する温度変化または環境変化でも、インク組成物で発生する泡を抑制できる。従って、インク組成物のインク流路内におけるインクフローを安定的にかつ均一に維持し、吐出されるインク組成物の液滴サイズおよび形を均一に維持できる。よって、本発明のインク組成物を具備するインクカートリッジをインクジェット記録装置に用いると、所望のプリンティングドットの数を得ることができるので、画像の光学密度および解像度を向上させることができる。
【００１０】
第１乳化剤および第２乳化剤の総含有量は、着色剤１００質量部を基準として、１〜３００質量部であってよい。
【００１１】
イオン性乳化剤は、炭素数１〜２０のアルキルカルボン酸塩、炭素数１〜２０のアルキルスルホン酸エステル塩、炭素数１〜２０のアルキルスルホン酸塩、炭素数１〜２０のアルキルベンゼンスルホン酸塩、炭素数１〜２０の脂肪酸アミン塩、第四級アンモニウム塩、スルホニウム塩およびホスホニウム塩からなる群から選択される少なくとも一つ以上であってよい。また、両性イオン性乳化剤は、炭素数１〜２０のアルキルアミンスルホン酸塩、炭素数１〜２０のアルキルアミンカルボン酸塩、または炭素数１〜２０のアルキルアミンホスホニウム塩からなる群から選択される少なくとも一つ以上であってよい。
【００１２】
非イオン性乳化剤は、ポリオキシエチレンアルキルエーテル、ポリオキシエチレンアルキルフェニルエーテル、ポリオキシエチレン第２級アルコールエーテル、ポリオキシエチレン−オキシプロピレンブロック共重合体、ポリグリセリン脂肪酸エステル、ソルビタンモノエステルアルコキシレート、アセチレン型ポリアルキレンオキシド、アセチレン型ジオールからなる群から選択される少なくとも一つ以上であってよい。
【００１３】
着色剤は、顔料、染料または自己分散顔料のうちの一つであってよい。
【００１４】
共溶媒および／またはアミド化合物から構成される有機溶媒がさらに含まれてよい。
【００１５】
共溶媒は、メチルアルコール、エチルアルコール、ｎ−プロピルアルコール、イソプロピルアルコール、ｎ−ブチルアルコール、ｓｅｃ−ブチルアルコール、ｔ−ブチルアルコールおよびイソブチルアルコールから構成されるアルコール類化合物；１，６−ヘキサンジオール、１，２−ヘキサンジオール、エチレングリコール、ジエチレングリコール、トリエチレングリコール、プロピレングリコール、ブチレングリコール、１，４−ブタンジオール、１，２，４−ブタントリオール、１，５−ペンタンジオール、１，２，６−ヘキサントリオール、トリメタノールプロパン、へキシレングリコール、グリセロール、ポリ（エチレングリコール）から構成される多価アルコール系化合物；アセトン、メチルエチルケトン、ジアセトンアルコールから構成されるケトン類化合物；酢酸エチル、乳酸エチルから構成されるエステル系化合物；エチレングリコールモノメチルエーテル、エチレングリコールモノエチルエーテル、ジエチレングリコールメチルエーテル、ジエチレングリコールエチルエーテル、ジエチレングリコールモノブチルエーテル、ジエチレングリコールジエチルエーテル、トリエチレングリコールモノメチルエーテル、トリエチレングリコールモノエチルエーテルから構成される低級アルキルエーテル系化合物；ジメチルスルホキシド、テトラメチレンスルホン、チオグリコールから構成される含有硫黄系化合物；からなる群より選択される少なくとも一つ以上の化合物を含むことができる。
【００１６】
アミド化合物は、２−ピロリドン、２−ピペリドン、Ｎ−メチル−２−ピロリドン、カプロラクタム、テトラヒドロ−２−ピリミドン、３−メチル−テトラヒドロ−２−ピリミドン、２−イミダゾリジノン、ジメチルイミダゾリジノン、ジエチルイミダゾリジノン、ブチルウレア、１，３−ジメチルウレア、エチルウレア、プロピルウレア、イソプロピルウレア、１，３−ジエチルウレアからなる群から選択される少なくとも一つ以上の化合物を含むことができる。
【００１７】
有機溶媒の含有量は、着色剤１００質量部を基準として、１００〜２，０００質量部であってよい。
【００１８】
水の含有量は、着色剤１００質量部を基準として、１００〜３，０００質量部であってよい。
【００１９】
インク組成物の２０℃における表面張力は、１５×１０-３〜７０×１０-３Ｎ／ｍであってよく、インク組成物の２０℃における粘度は、１×１０-３〜２０×１０−３Ｐａ・Ｓであってよい。
【００２０】
イオン性乳化剤は、ドデシル硫酸ナトリウムであってよく、両性イオン性乳化剤は、Ｎ，Ｎ−ジメチルドデシルアミン−Ｎ−オキシドであってよい。
【００２１】
非イオン性乳化剤は、２，４，７，９−テトラメチル−５−デシン−４，７−ジオールまたは２，４，７，９−テトラメチル−５−デシン−４−（エチレンオキシド）ｍ−７−（エチレンオキシド）ｎ−ジオールを含むことができる。ここで、ｍ、ｎは、エチレンオキシドのモル数であり、ｍ＋ｎ＝１０であってよい。
【００２２】
第１乳化剤の含有量は、着色剤１００質量部を基準として、１〜１５０質量部であってよい。
【００２３】
第２乳化剤の含有量は、第１乳化剤の含有量の１〜１５倍であってよい。
【００２４】
有機溶媒の含有量は、着色剤１００質量部を基準として、５０〜２，０００質量部であってよい。
【００２５】
アミド化合物の含有量は、有機溶媒の総含有量１００質量部を基準として、５〜８０質量部であってよい。
【００２６】
上記課題を解決するために、本発明の第２の観点によれば、着色剤と、イオン性乳化剤および両性イオン性乳化剤から選択される少なくとも一つ以上である第１乳化剤と、非イオン性乳化剤である第２乳化剤と、水とを含むインク組成物を含むインクカートリッジであり、第１乳化剤の含有量は、着色剤１００質量部を基準として、１５０質量部以下であり、第２乳化剤の含有量は、第１乳化剤含有量の２０倍以下であるインクカートリッジが提供される。
【００２７】
上記課題を解決するために、本発明の第３の観点によれば、着色剤と、イオン性乳化剤および両性イオン性乳化剤から選択される少なくとも一つ以上である第１乳化剤と、非イオン性乳化剤である第２乳化剤と、水とを含むインク組成物を含むインクカートリッジを具備するインクジェット記録装置であり、第１乳化剤の含有量は、着色剤１００質量部を基準として、１５０質量部以下であり、第２乳化剤の含有量は、第１乳化剤含有量の２０倍以下であるインクジェット記録装置が提供される。
【００２８】
インクジェット記録装置は、１０，０００個以上のノズルを備え、インク組成物を吐出するアレイヘッドを具備することができる。
【００２９】
インクカートリッジの底面に位置し、記録媒体シートの幅方向に沿う所定の長さを有するプリンタヘッドをさらに含むことができる。
【発明の効果】
【００３０】
以上説明したように本発明によれば、インク組成物の長時間使用、長期間保管、または長距離のインクカートリッジでインク組成物を運搬する際の温度変化、別途のインクタンクを適用してインク組成物を循環するなどように、多様な環境変化でも、インク流路でのインクフローを安定的に、かつ均一に維持し、吐出されたインク組成物の液滴のサイズおよび形を常に均一に維持することができる。従って、本発明のインク組成物を具備するインクカートリッジをインクジェット記録装置に用いると、所望のプリンティングドットの数を得ることができるので、画像の光学密度および解像度を向上させることができる。
【発明を実施するための最良の形態】
【００３１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３２】
以下、本発明の実施形態について詳細に説明する。本発明の実施形態に係るインク組成物は、第１乳化剤として、イオン性乳化剤および両性イオン性乳化剤から選択される少なくとも一つ以上と、第２乳化剤として、非イオン性乳化剤とを含有する。また、本発明の実施形態に係るインク組成物は、着色剤および水を含む。
【００３３】
第１乳化剤の含有量は、着色剤１００質量部を基準として、１５０質量部以下であり、１〜１５０質量部である。さらに、第１乳化剤の含有量は、着色剤１００質量部を基準として、特に、０．１〜１００質量部である。もし、第１乳化剤の含有量が１５０質量部を超えると、泡が多発して画像形成性能が悪くなるので、望ましくない。
【００３４】
第２乳化剤の含有量は、第１乳化剤含有量の２０倍以下であることが望ましく、さらに１〜１５倍であることが望ましい。もし、第２乳化剤の含有量が第１乳化剤含有量の２０倍を超える場合には、ノズル表面でのウェッテイングが深刻になり、インク組成物の所望の吐出様態および速度を維持できないだけではなく、各色のノズルを介したインク組成物の逆流が著しくなり、混色現象が発生するので、望ましくない。
【００３５】
本発明の実施形態において、第１乳化剤および第２乳化剤の総含有量は、着色剤１００質量部を基準として、１〜３００質量部であることが望ましい。もし、第１乳化剤および第２乳化剤の総含有量が上記範囲を外れる場合には、初期の動的表面張力が低すぎて、インクフローの速度を調節できないので、インク吐出速度の均一性を確保できない。また、インクフローの速度を調節できないために、一般用紙におけるインク組成物の浸透性もひどくなり、画像濃度が急激に低下するので望ましくない。すなわち、もし、インクフローの速度が調節されなければ、一般用紙（例えば、紙）に吐出されるインク組成物は、紙の上でにじみ、画像濃度を低下させるという傾向を発現することがある。
【００３６】
本発明の実施形態に係るインク組成物を利用して、１０×１０ｃｍのソリッドパターン（ｓｏｌｉｄ  ｐａｔｔｅｒｎ）を５０％の範囲でプリンティングするとき、ミッシングドット、つまり不均一な形状のドットが形成される程度が、プリンティングドットの２０％を超えることはない。つまり、本発明の実施形態に係るインク組成物を用いると、所望のプリンティングドットの数を得ることができるので、画像の光学密度および解像度を向上させることができる。
【００３７】
以下、本発明の実施形態をさらに詳細に説明する。インク組成物は、インク組成物の一定の表面張力を確保するために、一種以上の乳化剤を適用するのが一般的である。ところで、かかる乳化剤を使用して確保されたインク組成物の表面張力は、ほとんど「静的表面張力」であり、これは、一定量のインク組成物を容器に込めたとき、インク組成物の表面と空気の界面との間の表面張力をいう。
【００３８】
しかし、インクジェット記録装置において、インク組成物は、インク組成物が込められているチャンバ内における静的な状態で吐出されるのではなく、インクタンクまたはインクカートリッジからインク供給チャンネルを経て、ヘッドチップに所定の流速で供給される。また、インク組成物は、ヘッドチップ内でも流路を経てインクチャンバおよびヘッドノズルまで所定の流速に基づいて移動するだけではなく、さらに均一に移動しなければならないので、静的表面張力よりは、所望の数値を有する動的表面張力を確保することがさらに重要である。
【００３９】
最近では、インクジェット記録装置の画像解像度を向上させるために、例えば、数ｐｌ〜１０ｐｌほどの小さなインク液滴を何回も吐出させている。また、プリンティング速度を向上させるために、同時に吐出できるヘッドのノズル数を増加したり、アレイプリンティングを適用することが重要視されている。このようなインクジェット記録装置から小さなインク液滴を速く、かつ均一に吐出するためには、動的表面張力の最高値が５０×１０−３Ｎ／ｍ以下でなければならず、ノズルから吐出された後の１，０００ｍｓｅｃ後には、４０×１０−３Ｎ／ｍ以下に維持しなければならない。もし、動的表面張力の最高値が５０×１０−３Ｎ／ｍを超えれば、１０ｐｌ余り以下の小さな液滴の形成および吐出が容易ではなくなる。図１は、インク組成物を吐出したときに生成されるメインドロップとサテライトドロップとを表した図面である。図１を参照して、動的表面張力とインク組成物の液滴形成および吐出について、説明する。図１のように、いったんインク液滴がヘッドチップから吐出された後に、ノズル表面から分離される過程で、１滴のメインドロップと１滴以上の小ドロップとが形成される。この際に形成された幾つかの小ドロップがメインドロップに合体しなければ、多数のサテライトドロップを形成してしまうため、インク組成物の液滴形成および吐出を均一に行うことができない。また、動的表面張力が１０ｍｓｅｃ並びに１，０００ｍｓｅｃ以後に２５×１０−３Ｎ／ｍ以下になれば、上記のサテライトドロップの形成が過度に増加し、画質の鮮明性を維持できない。
【００４０】
従って、上述の範囲内の値を有する動的表面張力を得ることが重要であり、そのためには、二種以上の乳化剤を適切に使用しなければならない。本発明の実施形態では、第１乳化剤および第２乳化剤の含有量を最適化できるため、最適の動的表面張力を実現できるので、均一なインクフロー、吐出されるインク組成物の液滴サイズおよび形状を均一に維持できる。
【００４１】
また、複雑になったヘッド−カートリッジ構造において、インク組成物のフローを均一に維持することが重要であり、併せて、かかるインクフローを行っている間、インク組成物を長期間使用する間または長期間保管する間に、環境変化やインク組成物の移動により泡が発生すれば、その泡がインク液滴の吐出を妨害したり、またはノズルを塞ぐことになる。これにより、インク組成物がそれ以上吐出されなくなったり、またインク組成物の吐出を円滑に行うことができないというような致命的な要因になる。さらに、発生した泡がすぐに消滅しないことがより大きい問題を誘発する。従って、このように、インク組成物の泡生成を防止するために、シリコンやフッ素を含む高分子消泡剤または消泡性の強いサルファー化合物を適用する。
【００４２】
しかし、上記の高分子消泡剤を適用する場合には、高分子消泡剤とインク組成物との互換性が良好ではなく、インクチャンバおよび／またはノズル内でインク組成物が固まって吐出が困難になりやすい。このような傾向は、インク組成物の液滴を小さくして、かつ印刷速度の速くなったプリンティングシステムで、さらに深刻な問題となる。また、高分子消泡剤とは異なり、サルファー化合物は、インク組成物との互換性は良好である。しかし、インク組成物に少量のサルファー化合物だけ適用しても、一般用紙におけるインク組成物の浸透があまりにも著しくなるため、インク組成物の一般用紙に対するにじみが悪化し、画像濃度も低下して、所望の画質を得ることができない。さらに問題になるのは、サルファー化合物を使用するときには、ノズル表面において、インク組成物が速く乾燥することにより、クロッギングが著しくなって、それ以上インク組成物を吐出できなくなることである。また、サルファー化合物の種類によって、その臭いが鼻を突くようであり、インク組成物に適用することが望ましくない。
【００４３】
従って、上記した高分子消泡剤やサルファー化合物を適用せずに、インク組成物の消泡性を向上させ、泡によるノズル詰まりを防止するためには、インク組成物の泡を誘発する物質を確認し、それに対する根本的な対応が必要である。
【００４４】
泡を発生させる代表的な物質が乳化剤であるから、インク組成物の消泡性を確保するためには、乳化剤の特性および含有量を適切に適用することが望ましい。特に、イオン性乳化剤または両性イオン性乳化剤の含有量を最少に適用する。このとき、所望の動的表面張力を確保するためには、非イオン性乳化剤の含有量で調節することが望ましい。従って、所望の消泡性と動的表面張力とを得るために、適用する各々の乳化剤の含有量は、上述の通りである。本発明の実施形態では、第１乳化剤および第２乳化剤の含有量を最適化できるため、インク組成物で発生する泡を防止することができるので、インクフローを均一にかつ安定に維持でき、ミッシッグドットを低減することができる。
【００４５】
本発明の実施形態に係るインク組成物は、上述の組成の乳化剤を使用する。従って、本発明の実施形態に係るインク組成物は、インク組成物で発生する泡を防止し、かつ所望の動的表面張力を備えることができるため、インク組成物を長時間使用したり、長期間保管する際でも、インク組成物のフローが均一であり、かつ安定しているので、所望の吐出を具現できる。また、環境変化に応じてインク組成物で生成された泡や残余泡によってノズルが詰まることにより発生するミッシングドットの程度を最適化させることができ、さらに所望しないインク組成物の液滴により画像解像度を失ってしまうことを防止することができる。
【００４６】
本発明の実施形態において、イオン性乳化剤は、Ｃ１〜Ｃ２０（炭素数１〜２０）のアルキルカルボン酸塩、Ｃ１〜Ｃ２０（炭素数１〜２０）のアルキルスルホン酸エステル塩、Ｃ１〜Ｃ２０（炭素数１〜２０）のアルキルスルホン酸塩、Ｃ１〜Ｃ２０（炭素数１〜２０）のアルキルベンゼンスルホン酸塩、Ｃ１〜Ｃ２０（炭素数１〜２０）の脂肪酸アミン塩、第四級アンモニウム塩、スルホニウム塩およびホスホニウム塩などからなる群から選択される少なくとも一つ以上の化合物を使用する。その具体的な例は、ドデシル硫酸ナトリウム（ＳＤＳ）、ジシクロヘキシルスルホコハク酸ナトリウム、スルホン酸ナトリウムなどである。
【００４７】
そして、両性イオン性乳化剤は、Ｃ１〜Ｃ２０（炭素数１〜２０）のアルキルアミンスルホン酸塩、Ｃ１〜Ｃ２０（炭素数１〜２０）のアルキルアミンカルボン酸塩、またはＣ１〜Ｃ２０（炭素数１〜２０）のアルキルアミンホスホニウム塩などからなる群から選択される少なくとも一つ以上の化合物を使用する。その具体的な例は、Ｎ，Ｎ−ジメチルドデシルアミン−Ｎ−オキシド、Ｎ，Ｎ−ジメチル−Ｎ−オクタデシルアミンオキシドなどである。
【００４８】
また、本発明の実施形態に係るインク組成物を構成する非イオン性乳化剤は、ポリオキシエチレンアルキルエーテル、ポリオキシエチレンアルキルフェニルエーテル、ポリオキシエチレン第２級アルコールエーテル、ポリオキシエチレン−オキシプロピレンブロック共重合体、ポリグリセリン脂肪酸エステル、ソルビタンモノエステルアルコキシレート、アセチレン型ポリアルキレンオキシド、アセチレン型ジオールなどからなる群から選択される少なくとも一つ以上の化合物を使用する。その具体的な例は、サーフィノール４６５（登録商標、Ａｉｒ  Ｐｒｏｄｕｃｔ社）、サーフィノール１０４（登録商標、Ａｉｒ  Ｐｒｏｄｕｃｔ社）、Ｔｅｒｇｉｔｏｌ（登録商標、ＩＣＩ社）、Ｐｌｕｒｏｎｉｃｓ（登録商標、ＢＡＳＦ社）、Ｔｒｉｔｏｎｓ（登録商標、Ｒｏｈｍ＆Ｈａａｓ社）などである。ここで、サーフィノール１０４は、２，４，７，９−テトラメチル−５−デシン−４，７−ジオールであり、サーフィノール４６５は、２，４，７，９−テトラメチル−５−デシン−４−（エチレンオキシド）ｍ−７−（エチレンオキシド）ｎ−ジオールである。サーフィノール４６５において、ｍ、ｎは、エチレンオキシドのモル数であり、ｍ＋ｎ＝１０となる。
【００４９】
本発明の実施形態に係るインク組成物において、水の含有量は、着色剤１００質量部を基準として、１００〜３，０００質量部であることが望ましい。換言すると、インク組成物が着色剤と同一含有量以上の水を含み、着色剤含有量の３０倍まで含むことができる。もし、水の含有量が１００質量部未満ならば、インク水溶液の着色剤密度が高すぎて粘度が高まり、３，０００質量部を超えれば、着色剤の含有量が少なすぎるので、色相発現が困難になるため、望ましくない。
【００５０】
本発明の実施形態に使われる有機溶媒は、共溶媒（ｃｏｓｏｌｖｅｎｔ）、アミド化合物、またはその混合物などを使用できる。有機溶媒の総含有量は、着色剤１００質量部を基準として、５０〜２，０００質量部であり、特に１００〜２，０００質量部である。もし、有機溶媒の含有量が５０質量部未満ならば、湿潤性効果および保存安定性が発現し難しく、２，０００質量部を超えれば、粘度が高まって粒子サイズが急上昇するため、望ましくない。
【００５１】
上記共溶媒は、アルコール類化合物、多価アルコール系化合物、ケトン類化合物、エステル系化合物、低級アルキルエーテル系化合物、含有硫黄系化合物などからなる群から選択される少なくとも一つ以上の化合物で構成されるが、これらに限定されない。アルコール類化合物は、メチルアルコール、エチルアルコール、ｎ−プロピルアルコール、イソプロピルアルコール、ｎ−ブチルアルコール、ｓｅｃ−ブチルアルコール、ｔ−ブチルアルコールまたはイソブチルアルコールなどから構成される。多価アルコール系化合物は、１，６−ヘキサンジオール、１，２−ヘキサンジオール、エチレングリコール、ジエチレングリコール、トリエチレングリコール、プロピレングリコール、ブチレングリコール、１，４−ブタンジオール、１，２，４−ブタントリオール、１，５−ペンタンジオール、１，２，６−ヘキサントリオール、トリメタノールプロパン、へキシレングリコール、グリセロール（グリセリン）、ポリ（エチレングリコール）などから構成される。ケトン類化合物は、アセトン、メチルエチルケトン、ジアセトンアルコールなどから構成される。エステル系化合物は、酢酸エチル、乳酸エチルなどから構成される。低級アルキルエーテル系化合物は、エチレングリコールモノメチルエーテル、エチレングリコールモノエチルエーテル、ジエチレングリコールメチルエーテル、ジエチレングリコールエチルエーテル、ジエチレングリコールモノブチルエーテル、ジエチレングリコールジエチルエーテル、トリエチレングリコールモノメチルエーテル、トリエチレングリコールモノエチルエーテルなどから構成される。含有硫黄系化合物は、ジメチルスルホキシド、テトラメチレンスルホン、チオグリコールなどから構成される。
【００５２】
本発明の実施形態において、有機溶媒の上記アミド化合物は、２−ピロリドン、２−ピペリドン、Ｎ−メチル−２−ピロリドン、シクロヘキシルピロリドン、カプロラクタム、バレロラクタム、テトラヒドロ−２−ピリミドン、３−メチル−テトラヒドロ−２−ピリミドン、２−イミダゾリジノン、ジメチルイミダゾリジノン、ジエチルイミダゾリジノン、ブチルウレア、１，３−ジメチルウレア、エチルウレア、プロピルウレア、イソプロピルウレア、１，３−ジエチルウレアなどからなる群から選択される少なくとも一つ以上を使用する。
【００５３】
もし、本発明の実施形態において、有機溶媒として、上述の共溶媒とアミド化合物とを共に使用する場合、アミド化合物の含有量は、有機溶媒の総含有量１００質量部に対し、５〜８０質量部である。
【００５４】
本発明の実施形態に係るインク組成物は、上記の構成要素以外に粘度調節剤のような添加剤などをさらに含むことができる。
【００５５】
本発明の実施形態において、使われる着色剤は、自己分散顔料または分散剤と共に使われる一般的な染料または顔料などのうちの一つが使われる。
【００５６】
上記着色剤の例は、Ｃ．Ｉ．Ｂａｓｉｃ  Ｂｌａｃｋ  ２（登録商標）、Ｃ．Ｉ．Ｄｉｒｅｃｔ  Ｙｅｌｌｏｗ  ４４（登録商標）、Ｃ．Ｉ．Ｂａｓｉｃ  Ｂｌｕｅ  ２６（登録商標）、Ｃ．Ｉ．Ｄｉｒｅｃｔ  Ｒｅｄ  ２２７（登録商標）、Ｒａｖｅｎ  ５２５０（登録商標、Ｃｏｌｕｍｂｉａｎ社製）、Ｒｅｇａｌ  ３３０（登録商標、Ｃａｂｏｔ社製）、Ｄｉｒｅｃｔ  Ｔｕｒｑｕｏｉｓｅ  Ｂｌｕｅ（登録商標、Ｃｌａｒｉａｎｔ社製）、Ｄｉｒｅｃｔ  Ｂｌｕｅ  １９９（登録商標、Ｈｏｄｏｇａｙａ社製）、Ｂａｓａｃｉｄ  Ｒｏｔ  ４９５（登録商標、ＢＡＳＦ社製）、Ａｃｉｄ  Ｒｅｄ  ５２（登録商標、Ｈｏｄｏｇａｙａ社製）、Ｙｅｌｌｏｗ  ＧＧＮ（登録商標、Ｓｐｅｃｔｒａ社製）、Ｂａｓａｃｉｄ  Ｙｅｌｌｏｗ  ０９９（登録商標、ＢＡＳＦ社製）などがある。
【００５７】
また、本発明の実施形態に係るインク組成物には、酸または塩基などがさらに含まれることもある。ここで、酸または塩基は、溶媒に対する湿潤剤の溶解度を向上させ、顔料を安定化させる役割を果たす。
【００５８】
上記過程によって得た本発明の実施形態のインク組成物の２０℃における表面張力は、１５×１０−３〜７０×１０−３Ｎ／ｍであり、２０℃における粘度は、１×１０−３〜２０×１０−３Ｐａ・Ｓである。そして、本発明の実施形態に係るインク組成物は、一般用紙における乾燥時間が０．０５秒〜３秒以下、特に、０．１〜１秒であり、その乾燥速度も非常に速い。
【００５９】
一方、本発明の実施形態のインク組成物は、その用途が特別に制限されず、インク組成物以外にも、トナー組成物、各種塗料、コーティング液などに使用可能である。望ましくは、本発明の実施形態のインク組成物は、アレイヘッドを採用したインクジェットプリンタカートリッジに有用に使われる。
【００６０】
アレイヘッドを採用したインクジェットプリンタは、１個のチップを移送して印刷するシャトル型インクジェットプリンタとは異なり、複数のチップを利用して高速に印刷するので、プリンタの処理量を増加させることができる。
【００６１】
図２は、本発明の実施形態に係るインク組成物を含むインクカートリッジを具備したインクジェット記録装置の図面である。図２に図示されているように、本発明の実施形態に係るインクジェット記録装置は、本発明の実施形態に係るインク組成物を含むインクカートリッジ１１を具備する。プリンタカバー８は、プリンタ５の本体１３と連結される。移動性ラッチ１０の互いに噛み合った領域は、ホール７を介して突出される。移動性ラッチ１０は、固定性ラッチ９と互いに噛み合うように形成されており、固定性ラッチ９は、プリンタカバー８が閉じられるとき、プリンタカバー８の内部に連結される。プリンタカバー８は、ホール７を介して突出する移動性ラッチ１０の領域に対応するリセス１４を具備する。インクカートリッジ１１は、インクカートリッジ１１の下部を通過する紙３にインクを配置できるように装着される。
【００６２】
図３は、本発明の実施形態に係るインク組成物を含むインクカートリッジの断面図である。インクカートリッジ１００は、カートリッジ本体１１０、インク保存器１１２、内部カバー１１４、外部カバー１１６を具備する。カートリッジ本体１１０は、インク保存器１１２を形成する。内部カバー１１４は、インク保存器１１２のトップ領域をカバーする。外部カバー１１６は、内部カバー１１４と所定間隔で離隔され、インク保存器１１２と内部カバー１１４とをシーリングする。ここで、インクカートリッジ１００において、外部カバー１１６が形成される側を上とし、当該上方向に対向する側を底とする。
【００６３】
インク保存器１１２は、垂直バリア壁１２３によって第１チャンバ１２４および第２チャンバ１２６に区画される。第１チャンバ１２４と第２チャンバ１２６との間に配置される垂直バリア壁１２３の底に、インク通路１２８が形成される。インク組成物は、第１チャンバ１２４およびスポンジ１２９を充填し、第２チャンバ１２６を充填する。第２チャンバ１２６に対応するベントホール１２６ａが内部カバー１１４に形成される。
【００６４】
フィルタ１４０は、第２チャンバ１２６の下部に形成され、インク組成物内の不純物および微細バブルを濾過し、プリンタヘッド１３０の排出ホールがクロッギングされることを防止する。フック１４２は、フィルタ１４０のエッジ（縁領域）上に形成され、スタンドパイプ１３２のトップ領域に配置（ｃｏｕｐｌｉｎｇ）される。インク保存器１１２のインク組成物は、プリンタヘッド１３０の排出ホールを通過して小さな液滴状で印刷媒体に排出される。
【００６５】
本発明の実施形態に係るプリンタヘッド１３０は、１０，０００個以上のノズルを使用するアレイヘッドに利用されることが望ましい。プリンタヘッド１３０は、ラインタイププリンタヘッドなので、インク吐出するたびに、印刷データの全体ラインが印刷されるように、記録媒体の幅に相応する長さを有する。つまり、プリンタヘッド１３０は、インクカートリッジ１００の底面に位置し、記録媒体シートの幅方向に沿う所定の長さを有する。
【実施例】
【００６６】
以下、本発明について下記実施例を挙げて説明するが、本発明が下記実施例のみに限定されるものではない。
【００６７】
（実施例１〜８）
（着色剤）
Ｂｌａｃｋ  １：Ｒａｖｅｎ  ５２５０（登録商標、Ｃｏｌｕｍｂｉａｎ社製）
Ｂｌａｃｋ  ２：Ｒｅｇａｌ  ３３０（登録商標、Ｃａｂｏｔ社製）
Ｃｙａｎ  １：Ｄｉｒｅｃｔ  Ｔｕｒｑｕｏｉｓｅ  Ｂｌｕｅ（登録商標、Ｃｌａｒｉａｎｔ社製）
Ｃｙａｎ  ２：Ｄｉｒｅｃｔ  Ｂｌｕｅ  １９９（登録商標、Ｈｏｄｏｇａｙａ社製）
Ｍａｇｅｎｔａ  １：Ｂａｓａｃｉｄ  Ｒｏｔ  ４９５（登録商標、ＢＡＳＦ社製）
Ｍａｇｅｎｔａ  ２：Ａｃｉｄ  Ｒｅｄ  ５２（登録商標、Ｈｏｄｏｇａｙａ社製）
Ｙｅｌｌｏｗ  １：Ｙｅｌｌｏｗ  ＧＧＮ（登録商標、Ｓｐｅｃｔｒａ社製）
Ｙｅｌｌｏｗ  ２：Ｂａｓａｃｉｄ  Ｙｅｌｌｏｗ  ０９９（登録商標、ＢＡＳＦ社製）
（有機溶媒）
ＥＧ：エチレングリコール
ＤＥＧ：ジエチレングリコール
Ｇｌｙ：グリセリン
１，２，６−ｈｅｘ：１，２，６−ヘキサントリオール
ＤＥＧＭＢＥ：ジエチレングリコールモノブチルエーテル
（アミド化合物）
２−Ｐ：２−ピロリドン
ＮＭＰ：Ｎ−メチル−２−ピロリドン
Ｃｙｃｌｏ−Ｐ：シクロヘキシルピロリドン
Ｃ−ｌａｃｔａｍ：カプロラクタム
Ｖ−ｌａｃｔａｍ：バレロラクタム
（乳化剤）
乳化剤１（イオン性乳化剤）：ＣＴＥＣ社のジシクロヘキシルスルホコハク酸ナトリウム
乳化剤２（イオン性乳化剤）：Ａｌｄｒｉｃｈ社のスルホン酸ナトリウム
乳化剤３（両性イオン性乳化剤）：Ａｌｄｒｉｃｈ社のＮ，Ｎ−ジメチルドデシルアミン−Ｎ−オキシド
乳化剤４（両性イオン性乳化剤）：Ａｌｄｒｉｃｈ社のＮ，Ｎ−ジメチル−Ｎ−オクタデシルアミンオキシド
乳化剤５（非イオン性乳化剤）：ＩＣＩ社のＴｅｒｇｉｔｏｌ（登録商標）
乳化剤６（非イオン性乳化剤）：Ａｉｒ  Ｐｒｏｄｕｃｔ社のサーフィノール４６５（登録商標）
乳化剤７（非イオン性乳化剤）：ＢＡＳＦ社のＰｌｕｒｏｎｉｃｓ（登録商標）
乳化剤８（非イオン性乳化剤）：Ｒｏｈｍ＆Ｈａａｓ社のＴｒｉｔｏｎｓ（登録商標）
【００６８】
上記の着色剤、乳化剤および有機溶媒などを適用し、次のような方法で表１のインク組成物のサンプルを作った。まず、２５０ｍＬのビーカーに有機溶媒（共溶媒、アミド化合物）、乳化剤、着色剤の各々を、下記表１のような組成で、インク特性に合うように添加した後で水を添加し、最終的に１００ｇとなるようにした。その後、７００ｒｐｍの撹拌器で３０分以上撹拌して均一な状態にし、最後に、０．４５μｍのフィルタペーパーを介して濾過し、最終のインク組成物を得た。この方法で作成した実施例１〜８および比較例１〜８のサンプルの組成を表１に示す。
【００６９】
【表１】
2007002255.tif 000002
【００７０】
（実験例１：動的表面張力テスト）
実施例１〜実施例８および比較例１〜比較例８で得られたインク組成物を、Ｋｒｕｓｓ社のＢｕｂｂｌｅ  Ｐｒｅｓｓｕｒｅ  Ｔｅｎｓｉｏｍｅｔｅｒ−ＢＰ２機器を利用して測定した。測定した値のうち、インク組成物がノズルから吐出された後の１０ｍｓｅｃ後および１，０００ｍｓｅｃ後における表面張力値を下記表２に表した。
【００７１】
（実験例２：消泡性テスト）
実施例１〜実施例８および比較例１〜比較例８で得られたインク組成物を、１０ｍｌメスシリンダに３ｍｌを入れてふたをした後、上下に２０回強く振った後で生成された泡の体積を、初期のインク組成物の体積と比較して百分率で表し、次の通りに評価した。その評価結果を下記表２に表した。ここで、Ａは、インク組成物で発生する泡の程度を示す。
Ａ＝［（最終のインク組成物の体積−初期のインク組成物の体積）／初期のインク組成物の体積］×１００（％）
◎：Ａ＜２０
Ｏ：２０≦Ａ＜５０
×：５０≦Ａ≦８０
××：Ａ＞８０
【００７２】
（実験例３：ミッシングドットテスト）
実施例１〜実施例８および比較例１〜比較例８で得られたインク組成物を、三星インクカートリッジに充填して、１０×１０ｃｍのソリッドパターンを５０％の範囲でプリントするとき、ミッシングドットの程度を次の通り評価した。その評価結果を下記表２に表した。ここで、Ｂは、プリントされる際の全体ドット数に対して、発生するミッシングドット数（不均一な形状のドット数）の割合を示す。
Ｂ＝（ミッシングドット数／全体ドット数）×１００（％）
◎：Ｂ＜１０
Ｏ：１０≦Ｂ＜２０
×：２０≦Ｂ≦３０
××：Ｂ＞３０
【００７３】
（実験例４：カートリッジ保存安定性テスト）
実施例１〜実施例８および比較例１〜比較例８で得られたインク組成物を、三星インクカートリッジに充填して、常温（２５℃）、低温（−５℃）のそれぞれの温度で二週間ずつ保存した後でプリントを行ったとき、ノズルがふさがってインクを排出できない程度を次の通り評価した。その評価結果を下記表２に表した。
◎：既存のノズル数の５％以下のノズルで詰まりが観察される
Ｏ：既存のノズル数の６〜１０％のノズルで詰まりが観察される
×：既存のノズル数の１１〜２０％のノズルで詰まりが観察される
××：既存のノズル数の２１％以上のノズルで詰まりが観察される
【００７４】
（実験例５：乾燥性テスト）
実施例１〜実施例８および比較例１〜比較例８で得られたインク組成物を、インクカートリッジＭ−５０（三星社製）に充填した後、プリンタ（ＭＪＣ−３３００Ｐ、三星社製）で棒の絵（３×２０ｃｍ）を用紙に印刷した。印刷直後に当該用紙の印刷面上にロールを押し当てて、圧着ロールテスト機に当該用紙を通過させたとき、棒の絵から転移された画像の光学密度（ＯＤ；Ｏｐｔｉｃａｌ  Ｄｅｎｓｉｔｙ）を圧着ロール通過前の画像ＯＤと比較して百分率で表し、次の通り評価した。その評価結果を下記表２に表した。ここで、Ｃは、印刷直後の画像ＯＤに対する圧着ロールによって転移された画像ＯＤの割合を示す。
Ｃ＝（転移された画像のＯＤ／元の棒の絵のＯＤ）×１００（％）
◎：Ｃ＜１５
Ｏ：１５≦Ｃ＜３０
×：３０≦Ｃ≦４５
××：Ｃ＞４５
【００７５】
【表２】
2007002255.tif 000003
【００７６】
表２の結果より、インク組成物が吐出された１０ｍｓ後の比較例５、比較例６の動的表面張力が５０×１０−３Ｎ／ｍを超えているため、インク組成物の小さいサイズの液滴を形成および吐出できない。また、インク組成物が吐出された１０ｍｓ後の比較例２〜４の動的表面張力も２５×１０−３Ｎ／ｍに近い低い値なので、上述のサテライトドロップのインク組成物がより多く発生するため、画像形成が鮮明にできない。これに対して、インク組成物が吐出された１０ｍｓ後の実施例１〜８の動的表面張力は、５０×１０−３Ｎ／ｍを超えなくて、かつ２５×１０−３Ｎ／ｍより大きい値を備えるため、最適な値である。また、インク組成物が吐出された１０００ｍｓ後の比較例１〜４の動的表面張力が２５×１０−３Ｎ／ｍより低いため、画像形成が鮮明にできないし、比較例５〜８の動的表面張力が４０×１０−３Ｎ／ｍより大きいため、インク組成物の小さいサイズの液滴を形成および吐出できない。これに対して、インク組成物が吐出された１０００ｍｓ後の実施例１〜８の動的表面張力は、４０×１０−３Ｎ／ｍを大きく超えなくて、かつ２５×１０−３Ｎ／ｍより大きい値を備えるため、最適な値である。
【００７７】
さらに比較例１〜８に比べて、実施例１〜８の消泡性、ミッシングドット、保存安定性および乾燥性は、優れている。これにより、本発明の実施形態のインク組成物は、最適の動的表面張力を確保でき、泡生成を最小化できることにより、ヘッドカートリッジのインク流路をインク組成物が流れる間にインク組成物の流動性を均一に維持し、さらにインク組成物が流れる間に泡生成によるインクフローの妨害、またはノズル詰まりに起因したミッシングドットの生成を事前に防止することができる。従って、連続印刷時に均一な印刷品質を具現でき、長期間の保存および使用安定性を確保することが可能である。
【００７８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００７９】
本発明のインク組成物、インク組成物を含むインクカートリッジおよびインクジェット記録装置は、例えば、インクジェットプリンティング関連の技術分野に効果的に適用可能である。
【図面の簡単な説明】
【００８０】
【図１】インク組成物を吐出したときに生成されるメインドロップおよびサテライトドロップを表した図面である。
【図２】本発明の実施形態に係るインク組成物を含むインクカートリッジを具備したインクジェット記録装置の図面である。
【図３】本発明の実施形態に係るインク組成物を含むインクカートリッジの断面図である。
【符号の説明】
【００８１】
３      紙
５      プリンタ
７      ホール
８      プリンタカバー
９      固定性ラッチ
１０      移動性ラッチ
１１      インクカートリッジ
１３      本体
１００      インクカートリッジ
１１０      カートリッジ本体
１１２      インク保存器
１１４      内部カバー
１１６      外部カバー
１２３      垂直バリア壁
１２４      第１チャンバ
１２６      第２チャンバ
１２６ａ      ベントホール
１２８      インク通路
１２９      スポンジ
１３０      プリンタヘッド
１３２      スタンドパイプ
１４０      フィルタ
１４２      フック
【図１】
2007002255.tif 000004
【図２】
2007002255.tif 000005
【図３】
2007002255.tif 000006